(57)【要約】【課題】現行の各種タンブラー錠において解錠用道具を用いたピッキング等の不正解錠に対して安全性が確保できない。【解決手段】シリンダー２内に鍵挿入口を有するロータ１を回転可能に挿入し、上記シリンダー２及びロータ１に連通するように複数のタンブラーが摺動可能に付勢されており、上記鍵挿入口より挿入される鍵１１と各タンブラーとの摺動によって操作するタンブラー錠であって、上記複数のタンブラーのうち少なくとも１つが鍵挿入前に鍵挿入口を塞ぐように設けられたシャッタータンブラー６とする。【選択図】図１
2004143750.tif 000002
【特許請求の範囲】
【請求項１】
シリンダー内に鍵挿入口を有するロータを回転可能に挿入し、上記シリンダー及びロータに連通するように複数のタンブラーが摺動可能に付勢されており、上記鍵挿入口より挿入される鍵と各タンブラーとの摺動によって操作するタンブラー錠であって、上記複数のタンブラーのうち少なくとも１つが鍵挿入前に鍵挿入口を塞ぐように設けられたシャッタータンブラーになっていることを特徴とするシャッタータンブラー錠。
【請求項２】
上記シャッタータンブラーが鍵挿入口に１番近い側に設けられていることを特徴とする請求項１に記載のシャッタータンブラー錠。
【請求項３】
上記シャッタータンブラーが複数設けられたことを特徴とする請求項１または２に記載のシャッタータンブラー錠。
【請求項４】
上記シャッタータンブラーが上下１対のシャッターからなり、各シャッターの間隔が０．５ｍｍ以下であることを特徴とする請求項１乃至３の何れかに記載のシャッタータンブラー錠。
【請求項５】
少なくとも鍵と接する部分をセラミックスで形成したことを特徴とする請求項１乃至４の何れかに記載のシャッタータンブラー錠。
【請求項６】
請求項１乃至５の何れかに記載のシャッタータンブラー錠に挿入する鍵であって、シャッタータンブラーが嵌合する凹部または貫通孔を有することを特徴とするシャッタータンブラー錠用鍵。
【発明の詳細な説明】
【０００１】
【発明の属する技術分野】
本発明は、シャッタータンブラーを有するタンブラー錠に関する。
【０００２】
【従来の技術】
従来より、ピンタンブラー、ディスクタンブラー、レバータンブラー等の各種タンブラー錠は、鍵の偽造が困難なこと、解錠用道具を用いたピッキング等の不正解錠を防止することができること等から多用されている。
【０００３】
例えば、ピンタンブラー錠は、図６に示すように、シリンダー２２内に鍵挿入口を有するロータ２１を回転可能に挿入し、上記シリンダー２２及びロータ２１に連通して複数のピン穴が軸方向と直角あるいは並行に設けられ、上記各ピン穴に鍵３１の形状に合わせたキーコードによって長さの異なるピンタンブラー２３とドライバーピン２４がコイルバネ２８によって摺動可能に付勢されている。
【０００４】
このピンタンブラー錠を施錠、解錠するには、鍵挿入口に正規に鍵３１が挿入し、回転されたとき、鍵３１とピンタンブラー２３が摺動してピンタンブラー２３とドライバーピン２４の当接点がロータ２１の外周面に移動するため、ロータ２１の拘束が解除され、ロータ２１は回転可能となり、各ピンタンブラー２３とドライバーピン２４の当接面がシリンダー２２とロータ２１間の回転面に一致したとき解錠する仕組みである。
【０００５】
以上がピンタンブラー方式についての説明であるが、その他ディスク方式、レバータンブラー方式等の各種タンブラー錠においても鍵の偽造が困難であること、及び解錠用道具を用いたピッキング等の不正解錠を防止する構造へ進化してきた。
【０００６】
しかし、解錠用道具については日々新たな物が開発され、いずれのタンブラー錠も解錠可能にしてしまう。
【０００７】
また鍵メーカーは、それに伴い更に複雑な構造を有するタンブラー錠を開発しており、複数のピンタンブラー２３の最奥部にセキュリティーピンをバネによって鍵孔の方向に付勢するように設け、このセキュリティーピンによってロータの回転を拘束する方法等が提案されている（特許文献１参照）。
【０００８】
【特許文献１】
特開平２００２−１８０７０９号公報
【０００９】
【発明が解決しようとする課題】
現行の解錠用道具を用いたピッキングとは、鍵の挿入口に解錠用道具を挿入し不正解錠を行うもので、例えば図６の従来のピンタンブラー錠を例に挙げると、不正解錠時には解錠用道具を挿入し必ず解錠回転方向にロータ２１を回しながら各ピンタンブラー２３にこすりつけ全てのピンタンブラー２３とドライバーピン２４の当接面がシリンダー２２とロータ２１間の回転面に一致させることで解錠させる。
【００１０】
これについては、どの種類のタンブラー錠でも同じ機構になっていることからピッキングの被害を避けきれないでいる。
【００１１】
よって、各鍵メーカーはピッキングしにくい複雑な構造を有するタンブラー錠を開発し続けることとなり、上記セキュリティーピンを設ける等部品点数の増加、コストの上昇を余儀なくされている。しかし、上記ピンタンブラー錠の最奥部にセキュリティーピンを設けた場合、セキュリティーピンは他のピンタンブラーと同様な形状をしており、回転方向を変更することによって開錠用道具によって不正開錠されるのを完全に防止することができないという問題があった。
【００１２】
本発明は、上述の問題に鑑みなされたもので、その目的は、従来の各種タンブラー錠のままでシャッタータンブラーを最低限１カ所組み込むことにより解錠用道具を用いたピッキング等の不正解錠を防止することと、内部構造の複雑化を防止できるシャッタータンブラー錠を提供することにある。
【００１３】
【課題を解決するための手段】
本発明のシャッタータンブラー錠は、シリンダー内に鍵挿入口を有するロータを回転可能に挿入し、上記シリンダー及びロータに連通するように複数のタンブラーが摺動可能に付勢されており、上記鍵挿入口より挿入される鍵と各タンブラーとの摺動によって操作するタンブラー錠であって、上記複数のタンブラーのうち少なくとも１つが鍵挿入前に鍵挿入口を塞ぐように設けられたシャッタータンブラーになっていることを特徴とするものである。
【００１４】
また、本発明のシャッタータンブラー錠は、上記シャッタータンブラーが鍵挿入口に１番近い側に設けられていることを特徴とするものである。
【００１５】
さらに、本発明のシャッタータンブラー錠は、上記シャッタータンブラーが複数設けられたことを特徴とするものである。
【００１６】
またさらに、本発明のシャッタータンブラー錠は、上記シャッタータンブラーが上下１対のシャッターからなり、各シャッターの間隔が０．５ｍｍ以下であることを特徴とするものである。
【００１７】
さらにまた、本発明のシャッタータンブラー錠は、少なくとも鍵と接する部分をセラミックスで形成したことを特徴とするものである。
【００１８】
また、本発明のシャッタータンブラー錠に挿入する鍵は、シャッタータンブラーが嵌合する凹部または貫通孔を有することを特徴とするものである。
【００１９】
本発明のシャッタータンブラー錠によれば、現行のディスクタンブラー、ピンタンブラー、レバータンブラー等、既に存在する各種方式にて構成されるタンブラー錠において、シャッタータンブラーを備えることによって、鍵挿入前のシャッタータンブラー位置がロータ回転可能状態、すなわち解錠位置に設定されていることから解錠用道具を用いたピッキング等の不正解錠において、解錠用道具を鍵挿入口に挿入しシャッタータンブラーを通過した時点でシャッタータンブラーがシリンダー側の穴に入るためロータが固定され不正解錠を有効に防止することができる。
【００２０】
また、このシャッタータンブラー錠を解錠する鍵は、シャッタータンブラーを嵌合する貫通孔または凹部を有する特殊な鍵となっており、その鍵自体を複製しない限り解錠は不可能になり、非常に安全性が高く、構造的にも簡素化できることから、設計の簡素化および製造コストを低減することができる。
【００２１】
【発明の実施の形態】
次に、本発明の実施形態を図面に基づいて詳細に説明する。
【００２２】
図１（ａ）〜（ｄ）は、本発明のシャッタータンブラー錠の一実施形態を示す図であり、シャッタータンブラーを備え、その他のタンブラーとしてピンタンブラーを備えたシャッタータンブラー錠を示すものである。
【００２３】
図１（ａ）は側面断面図、（ｂ）は同図（ａ）の要部拡大図、（ｃ）は上面図、（ｄ）は鍵挿入口におけるシャッタータンブラーの正面断面図である。
【００２４】
本発明のシャッタータンブラー錠は、図１（ａ）に示すように外周をケーシングするＣＡＰ状ケース５の中に円筒形のシリンダー２と、該シリンダー２内に鍵挿入口を有するロータ１を回転可能に挿入し、上記シリンダー２及びロータ１に連通する複数のピン穴が軸方向と直角に設けられ、各ピン穴にシャッタータンブラー６、ピンタンブラー３及びドライバーピン４がコイルバネ８によって摺動可能に付勢され、コイルバネ８の他端は封止ピン９によって閉鎖されており、鍵挿入前のシャッタータンブラー６の位置がロータ１の回転可能状態、すなわち解錠位置に設定されており、ロータ１の鍵挿入口にはすり鉢状の案内部１０が装着されている。
【００２５】
本発明のシャッタータンブラー錠では、複数のタンブラーのうち少なくとも１つがシャッタータンブラー６となっていることが重要であり、解錠用道具を挿入された場合、シャッタータンブラー６が解錠用道具の厚み分スライドしロータ１から突き出たシャッタータンブラー６がシリンダー２に挿入された状態となり、ロータ１とシリンダー２が固定された状態となるため不正解錠することを有効に防止することができる。
【００２６】
また、上記シャッタータンブラー６は、鍵挿入口に一番近い側に設けることが好ましく、解錠用道具の浸入をいち早く感知し解錠を阻止することが出来る。
【００２７】
さらに、上記シャッタータンブラー６は、複数設けることが好ましく、鍵挿入口に一番近い側に設けたシャッタータンブラー６が万が一破損した場合第２、第３のシャッタータンブラー６が解錠を阻止することが出来る。また、鍵の組み合わせの数を増加させることも可能となり、シャッタータンブラー６の数が増えることで更なる安全性を確保できる。
【００２８】
図２（ａ）は、上記シャッタータンブラー６を示す斜視図であり、鍵挿入口の上下方向から開閉する１対のシャッター６ａ、６ｂからなり、各シャッター６ａ、６ｂ間の隙間ｓが０．５ｍｍ以下であることが好ましい。この隙間ｓを０．５ｍｍ以下の小さなものとすることでピッキング時に使用される解錠用道具を鍵挿入口に挿入しシャッタータンブラー６を通過した時点でシャッタータンブラー６がシリンダー２側の穴に入るためロータ１が固定され解錠することが出来なくなる。
【００２９】
また、上記シャッタータンブラー６は、セラミックス等からなり、の高硬度及び摩擦係数の少ない表面状態であることが望ましい。特に、酸化アルミニウム質焼結体、ジルコニア質焼結体、炭化珪素質焼結体、窒化珪素質焼結体のセラミックスで形成することが好ましく、機械的強度が高いため、ピッキング等の不正開錠による道具の挿入を防止するとともに、破壊や損傷を有効に防止することができる。
【００３０】
同様に、図２（ｂ）に示すシャッタータンブラー６用ドライバーピン７やピンタンブラー３、ドライバーピン４も、鍵と摺動する部分を酸化アルミニウム質焼結体、ジルコニア質焼結体、炭化珪素質焼結体、窒化珪素質焼結体等のセラミックスで形成することが好ましく、鍵の抜き差しの回数が非常に多い病院やマンションの共通出入り口等に使用される場合においても、摩耗や腐食が生じることはなく長期間の使用に供することができる。
【００３１】
さらに、上記シャッタータンブラー６、シャッタータンブラー６用のドライバーピン７、ピンタンブラー３及びドライバーピン４は、その表面粗さが算術平均粗さ（Ｒａ）で１．０μｍ以下、ＳＵＳ３０４材に対する動摩擦係数が０．７以下とすることが好ましく、シャッタータンブラー６またはピンタンブラー３と鍵１１、ピンタンブラー３の上面とドライバーピン４の下面及びドライバーピン４の上面とシリンダー２の内壁との摺動をスムーズに行うことができるとともに、耐摩耗性が優れたものとすることができる。
【００３２】
なお、上記図１に示すシャッタータンブラー錠では、シャッタータンブラー６以外のタンブラーとしてピンタンブラー３を用いたが、ディスク、レバー等のタンブラーの各種方式にて構成されていてもよい。なお、レバータンブラーを用いたタンブラー錠にシャッタータンブラーを設ける場合には、ロータ１の代わりに仕切板という丸板を複数枚使用する。
【００３３】
また、シャッタータンブラー６の付勢がコイルバネ８以外の方法、例えば板バネ等で組み込まれたシャッタータンブラー錠でもよい。
【００３４】
ここで、上記シャッタータンブラー錠を専用の鍵を用いて開錠する仕組みを図３の要部拡大図に基いて説明する。
【００３５】
先ず、図３（ａ）に示すようにシャッタータンブラー錠における鍵挿入口から鍵１１を挿入する。
【００３６】
このとき、図１（ｂ）の要部拡大図に示すようにシャッタータンブラー６とロータ１との隙間ｇ１をその他のピンタンブラー３とロータ１との隙間ｇ２より小さくしておくことが好ましい。
【００３７】
これは、不正解錠時に必ず行われる解錠回転方向にロータ１を回す作業がシャッタータンブラー６側の隙間ｇ１で停止し、その他のピンタンブラー３はシャッタータンブラー６側以上の隙間ｇ２に設定されているため、フリーの状態を維持でき解錠用道具を用いたピッキング等の不正解錠を行ってもその他のタンブラーはロータ１に引っかかることなく元の位置に戻ることから更に不正解錠に対する安全性が高くなる。また、先にロータ１部分を解錠回転方向に回しておいて、後から解錠用道具を鍵挿入口に挿入した場合、逆にその他ピンタンブラー３側の隙間ｇ２分回転するためシャッタータンブラー６がシリンダー２の内壁に当たりシャッターを閉めた状態で固定され解錠用道具の浸入を防ぐ効果がある。
【００３８】
次いで、同図（ｂ）に示すように、シャッタータンブラー６の各シャッター６ａ、６ｂ間を鍵１１が通過する。
【００３９】
しかる後、同図（ｃ）に示すように、鍵１１に形成されている貫通孔１２内で各シャッター６ａ、６ｂが当接する。このとき、鍵１１が挿入されるとシャッタータンブラー６を構成する各シャッター６ａ、６ｂの上面がシャッタータンブラー用のドライバーピン７と接触するとともに、鍵１１の貫通孔１２にシャッタータンブラー６が挿入されることで鍵挿入前のシャッタータンブラー６の位置に戻り、シャッタータンブラー６とドライバーピン７との当接面がロータ１とシリンダー２間の回転面に一致する状態となる。また、各ピンタンブラー３の上面もドライバーピン４と接触し、そのピンタンブラー３とドライバーピン４との当接面がロータ１とシリンダー２間の回転面に一致し鍵を回転することで解錠する仕組みである。
【００４０】
このように開錠することから、このシャッタータンブラー錠に使用される鍵１１は、図４（ａ）、（ｂ）に示すようにシャッタータンブラー６が貫通する貫通孔１２を有する特殊な形状をしている。
【００４１】
上記貫通孔１２は、シャッタータンブラー６の各シャッター６ａ、６ｂの間隔に合致するような凹部でもよい。
【００４２】
また、図４（ｂ）の貫通孔１２付近を示す要部拡大図のように、シャッタータンブラー６が貫通孔１２から抜けやすいよう鍵１１が接触する貫通孔１２のエッジ部を上下面共にＲ形状とすることが好ましく、鍵１１を鍵挿入口から抜く際、貫通孔１２のエッジに引っかかることなく抜くことが可能となるとともに、シャッタータンブラー６と接する際にＲ形状のため摩耗を極力少なくする効果もある。
【００４３】
また、鍵１１は図５（ａ）〜（ｃ）に示すように、シャッタータンブラー６以外のタンブラーがピン、ディスク、レバー等の既に存在する各種タンブラー方式にて構成されているタンブラー錠にも使用することができる。
【００４４】
さらに、捻れの強度的問題が心配される場合は、図５（ｄ）〜（ｆ）に示すように鍵１１の貫通孔１２の付近に巾厚部１３を設けることで解消される。その時に鍵１１の先端から根本までを巾厚にするのではなく、シャッタータンブラー６付近のみにすることで解錠用道具の浸入を困難にする効果が得られる。
【００４５】
なお、本発明のシャッタータンブラー錠は、上述の実施形態に限定されるものではなく、本発明の要旨を逸脱しない範囲であれば種々の変更は可能である。
【００４６】
【発明の効果】
本発明のシャッタータンブラー錠によれば、現行のディスクタンブラー、ピンタンブラー、レバータンブラー等、既に存在する各種方式にて構成されるタンブラー錠において、シャッタータンブラーを備えることによって、鍵挿入前のシャッタータンブラー位置がロータ回転可能状態、すなわち解錠位置に設定されていることから解錠用道具を用いたピッキング等の不正解錠において、解錠用道具を鍵挿入口に挿入しシャッタータンブラーを通過した時点でシャッタータンブラーがシリンダー側の穴に入るためロータが固定され不正解錠を有効に防止することができる。
【００４７】
また、このシャッタータンブラー錠を解錠する鍵は、シャッタータンブラーを嵌合する貫通孔または凹部を有する特殊な鍵となっており、その鍵自体を複製しない限り解錠は不可能になり、非常に安全性が高く、構造的にも簡素化できることから、設計の簡素化および製造コストを低減することができる。
【図面の簡単な説明】
【図１】（ａ）は本発明のシャッタータンブラー錠の一実施形態を示す分解側面図、（ｂ）は同図（ａ）の要部拡大図、（ｃ）は上面図、（ｄ）は鍵挿入口におけるシャッタータンブラーを示す正面断面図である。
【図２】（ａ）は本発明のシャッタータンブラー錠におけるシャッタータンブラーを示す斜視図であり、（ｂ）はドライバーピンを示す斜視図である。
【図３】（ａ）〜（ｃ）は本発明のシャッタータンブラー錠を開錠する仕組みを説明する要部拡大図である。
【図４】（ａ）は本発明のシャッタータンブラー錠に用いられる鍵の正面図であり、（ｂ）は同図（ａ）の鍵における貫通孔付近を示す部分拡大図である。
【図５】（ａ）〜（ｆ）は本発明のシャッタータンブラー錠に用いられる鍵の種々の実施形態を示す正面図である。
【図６】（ａ）は従来のピンタンブラー錠の構造を示す分解側面図、（ｂ）は上面図である。
【符号の説明】
１：ロータ
２：シリンダー
３：ピンタンブラー
４：ドライバーピン
５：ＣＡＰ状ケース
６：シャッタータンブラー
７：ドライバーピン
８：コイルバネ
９：封止ピン
１０：案内部
１１：鍵
１２：貫通孔
１３：巾厚部
【図１】
2004143750.tif 000003
【図２】
2004143750.tif 000004
【図３】
2004143750.tif 000005
【図４】
2004143750.tif 000006
【図５】
2004143750.tif 000007
【図６】
2004143750.tif 000008